(57)【特許請求の範囲】
【請求項１】
雨水を竪樋に向かって横方向に導く呼び樋と、前記呼び樋の下流側端部に接続されるエルボと、前記エルボの端部を挿入させて前記エルボと竪樋とを連通させる合わせ枡とを備え、
前記合わせ枡の内孔に挿入する前記エルボの端部の外周面には係合部が設けられ、
前記合わせ枡の内周面には、周方向に形成されて前記係合部を係合させる被係合部が設けられ、
前記係合部と被係合部とが係合することにより、前記エルボが前記合わせ枡に対してこの合わせ枡の軸線を中心に回転可能で、且つ、前記軸線の方向への移動が規制され、
前記エルボは、
下流側端部に差し口が形成された湾曲部と、
前記差し口の外周面にこの差し口に対して相対的に回転可能に配されるリング部と、
前記リング部を前記湾曲部との間に挟んで前記差し口を挿入させ、前記湾曲部に対して回転不能に接続される直線状の短管と、
を備え、
前記リング部の外周面に前記係合部が設けられている雨樋の接続構造。
【請求項２】
前記係合部及び前記被係合部のいずれか一方が径方向に突出する突起であり、
同他方が貫通孔又は凹所であり、
前記係合部と前記被係合部とが係合することにより、前記リング部が前記合わせ枡に対して回転不能かつ前記軸線の方向への移動不能に固定されている請求項１に記載の雨樋の接続構造。
【発明の詳細な説明】
【技術分野】
【０００１】
本発明は、雨樋の接続構造に関する。
【背景技術】
【０００２】
住宅等の建物には、屋根から流れ落ちる雨水を受ける軒樋と、軒樋に集められた雨水を集水する集水器（所謂、合わせ枡）を介して雨水を流下させる呼び樋及び竪樋とを備えた雨樋システムが設置されている。
【０００３】
雨樋システムに用いられる合わせ枡には、上部に複数個の竪樋等の管体を挿入可能な集水部（集水器本体）が設けられ、下部に排水筒が設けられ、集水部の内壁面に上下方向に突条が設けられているものがある（例えば下記特許文献１）。特許文献１は、集水部の前後壁又は左右壁の少なくとも一方の相対向する位置に、本体内に挿入される竪樋の外面を押圧する押圧具が係止可能に装着される貫通孔が設けられている。
【０００４】
上記合わせ枡は、管体の間に空隙が形成されているため、管体より急激に雨水が流入しても、合わせ枡内部の空気が管体間の空隙から押し出され、雨水が円滑に流下する。また、この合わせ枡では、本体内に竪樋本管及び竪樋枝管を挿入した後、貫通孔に押圧具を押し込んで係止すると、両竪樋の外面が押圧具の先端にて押圧され、固定される。
【先行技術文献】
【特許文献】
【０００５】
【特許文献１】特開平８−３１２０８０号公報
【発明の概要】
【発明が解決しようとする課題】
【０００６】
ところで、最近では建物の屋根に太陽電池パネルを設置する要望が多く、太陽設置パネルの設置面積をより多く確保し、大容量化を図るために、建物の庇が長くなり、その結果庇の先端から壁面までの距離が長くなることがある（図１参照）。そのため、合わせ枡に接続する呼び樋の長さが従来に比べて長くなり、風圧等の外力の影響を受け易くなったため、風によって呼び樋が撓んだり、持ち上げられたりした際に、合わせ枡からエルボが抜けてしまうという問題があった。また、呼び樋及びエルボ並びに竪樋の設置状態によって、呼び樋及びエルボと合わせ枡との向きが合わない場合に調整が難しいという課題があった。
本発明は、上記事情を鑑みてなされたものであり、呼び樋を合わせ枡に容易に接続でき、且つ接続後の呼び樋の外れを防止することができる雨樋の接続構造を提供する。
【課題を解決するための手段】
【０００７】
本発明に係る雨樋の接続構造は、雨水を竪樋に向かって横方向に導く呼び樋と、前記呼び樋の下流側端部に接続されるエルボと、前記エルボの端部を挿入させて前記エルボと竪樋とを連通させる合わせ枡とを備え、前記合わせ枡の内孔に挿入する前記エルボの端部の外周面には係合部が設けられ、前記合わせ枡の内周面には、周方向に形成されて前記係合部を係合させる被係合部が設けられ、前記係合部と被係合部とが係合することにより、前記エルボが前記合わせ枡に対してこの合わせ枡の軸線を中心に回転可能で、且つ、前記軸線の方向への移動が規制され、前記エルボは、下流側端部に差し口が形成された湾曲部と、前記差し口の外周面にこの差し口に対して相対的に回転可能に配されるリング部と、前記リング部を前記湾曲部との間に挟んで前記差し口を挿入させ、前記湾曲部に対して回転不能に接続される直線状の短管と、を備え、前記リング部の外周面に前記係合部が設けられていることを特徴とする。
上記雨樋の接続構造によれば、施工時にエルボの向きが呼び樋に対してずれた場合であっても、エルボを合わせ枡の軸線を中心に回転させ、向きを合わせてから呼び樋をエルボに容易に挿入することができる。また、エルボの係合部が合わせ枡の被係合部に係合され、エルボに呼び樋が挿入された後は、合わせ枡の軸線の方向へのエルボの移動が規制されるので、エルボやエルボに接続されている呼び樋が合わせ枡から外れるのを防止することができる。
また、上記雨樋の接続構造によれば、湾曲型の部材と、リング部及び短管とを組み合わせて使用することができる。また、湾曲部と短管が係合部を備えたリング部を挟んで接続されるので、これら全体が構成するエルボは合わせ枡に対してこの合わせ枡の軸線を中心に回転可能で、且つ、軸線の方向への移動が規制される。従って、上述のようにエルボの向きと呼び枡の向きとの一致の有無に関わらず、呼び樋をエルボ及び合わせ枡に容易に挿入し、且つ、エルボや呼び樋が合わせ枡から外れるのを防止することができる。
【００１１】
また、本発明に係る雨樋の接続構造では、前記係合部及び前記被係合部のいずれか一方が径方向に突出する突起であり、同他方が貫通孔又は凹所であり、前記係合部と前記被係合部とが係合することにより、前記リング部が前記合わせ枡に対して回転不能かつ前記軸線の方向への移動不能に固定されていることが好ましい。
上記雨樋の接続構造によれば、エルボを構成するリング部及び合わせ枡のいずれか一方に設けられた突起が同他方に設けられた貫通孔又は凹所に挿入された際に、エルボが合わせ枡に対して回動可能となる。これにより、上述と同様に、施工時にエルボの向きが呼び樋の向きに対してずれた場合であっても、エルボを合わせ枡に対して回動させ、各々の向きを合わせてから呼び樋をエルボに容易に挿入することができる。
【発明の効果】
【００１２】
本発明によれば、エルボを介して呼び樋を合わせ枡に容易に接続でき、接続後の呼び樋の外れを防止することができるという効果を奏する。
【図面の簡単な説明】
【００１３】
【図１】本発明の第一実施形態である雨樋の接続構造が設置された建物を示す概略図である。
【図２】本発明の一実施形態である雨樋の接続構造を示す分解斜視図である。
【図３】本発明の一実施形態である雨樋の接続構造を示す図であり、図２に示す各部材を連結させた状態で、Ｘ−Ｘ線で矢視した断面図である。
【図４】本発明の一実施形態である雨樋の接続構造の他の例を示す分解斜視図である。
【発明を実施するための形態】
【００１４】
以下、本発明を適用した実施形態である雨樋の接続構造について、図面を参照して説明する。なお、以下の説明で用いる図面は模式的なものであり、長さ、幅、及び厚みの比率等は実際のものと同一とは限らず、適宜変更することができる。
【００１５】
図１は本発明を適用した実施形態の雨樋の接続構造１が設置された建物Ｔを示す概略図である。
図１に示すように、住宅等の建物Ｔには、屋根Ｒから流れ落ちる雨水を受ける軒樋４と、集水器（所謂、合わせ枡）２を介して呼び樋３及び竪樋５とを備えた雨樋システム８が設置されている。近年、太陽光発電を行うために、屋根Ｒに太陽電池パネルＳを設置する要望が多く、庇９の奥行寸法が増大し、呼び樋３の長さが従来に比べて長くなっている。
本発明を適用した雨樋の接続構造（以下、単に接続構造という）１は、上述した雨樋システム８の構成要素であり、軒樋４に集められた雨水を竪樋５に集約するためのものである。
【００１６】
図２は、本発明を適用した一実施形態（以下、単に一実施形態という）の接続構造１Ａを示す分解斜視図である。図３は、図２に示す各部材を連結させた接続構造１Ａを図２に示すＸ−Ｘ線で矢視した断面図である。
図２又は図３に示すように、接続構造１Ａは、呼び樋３と、呼び樋３の下流側端部３ｂに接続されるエルボ１０と、エルボ１０の下流側端部（短管）１０ｂを挿入させてエルボ１０と竪樋５とを連通させる合わせ枡２０とを備えている。
【００１７】
呼び樋３は、塩化ビニル等の合成樹脂で形成され、図１に示すように雨水を竪樋５に向かって矢印Ｄ１方向（横方向）に導く横引き管であり、集水器２からエルボ１０に向かうに従い下降するように傾斜して設置されている。呼び樋３の上流側端部は集水器２等を介して軒樋４に接続されている。図２に示すように、呼び樋３の下流側端部３ｂは、エルボ１０の上流側端部１０ａに接続されている。
【００１８】
エルボ１０は、差し口１３が形成された湾曲部１２と、差し口１３の外周面１３Ｒに差し口１３に対して相対的に回転可能に配されるリング部１４と、リング部１４を湾曲部１２との間に挟んで差し口１３を挿入させ、湾曲部１２に対して回転不能に接続される直線状の短管１６と、を備えている。
【００１９】
湾曲部１２は、塩化ビニル等の合成樹脂で略Ｌ字状に形成された管であり、一方の端部の軸線Ｊ１０を呼び樋３の軸線Ｊ３に合わせ、他方の端部の軸線Ｊ１２を後述する合わせ枡２０の筒体２６の軸線Ｊ２６に合わせて配置される。
【００２０】
リング部１４は、塩化ビニル等の合成樹脂で形成された管であり、湾曲部１２の差し口１３に外嵌可能かつ相対的に周方向に回転可能となるように形成されている。リング部１４の内径は、差し口１３の外径に略等しく、リング部１４の外径は湾曲部１２において矢印Ｄ２方向に延びている部分の外径に等しい。従って、図３に示すように差し口１３にリング部１４を外嵌させた際には、湾曲部１２の外周面とリング部１４の外周面１４Ｒが面一となる。
また、リング部１４は差し口１３を貫通させ、且つ、矢印Ｄ２方向に差し口１３を突出可能とする寸法に形成されている。即ち、リング部１４の軸線Ｊ１４方向の長さ寸法は差し口１３の長さ寸法よりも小とされている。
【００２１】
リング部１４の外周面１４Ｒには、係合部１８が設けられている。
係合部１８はリング部１４の外周面１４Ｒからリング部１４の径方向に突出する突起である。また、係合部１８は、リング部１４を平面視した場合に軸線Ｊ１４を中心とする互いに反対の位置に設けられているが、係合部１８の設置数、及び周方向における長さは特に限定されない。
【００２２】
短管１６は塩化ビニル等の合成樹脂で形成された管であり、リング部１４から突出させた湾曲部１２の差し口１３に外嵌可能となるように形成されている。即ち、短管１６の内径は差し口１３の外径に略等しく、短管１６の外径は湾曲部１２において矢印Ｄ２方向に延びている部分の外径に等しい。従って、図３に示すようにリング部１４を挟んで短管１６を差し口１３に外嵌させた際には、湾曲部１２の外周面及びリング部１４の外周面１４Ｒと短管１６の外周面とが面一となる。
【００２３】
短管１６の軸線Ｊ１６方向の長さ寸法は、リング部１４から突出した湾曲部１２の差し口１３の長さ寸法より大とされている。リング部１４から突出した湾曲部１２の差し口１３の外周面Ｃと短管１６の上端部の内周面Ｄは、接着剤等により接着されている。これにより、短管１６は湾曲部１２に対して回転不能に接続される。
【００２４】
合わせ枡２０は、塩化ビニル等の合成樹脂により筒状に形成されている。また、合わせ枡２０は、エルボ１０を挿入させる有底筒状の筒体２６と、上側竪樋５ａ及び下側竪樋５ｂを接続させる管体２８と、筒体２６と管体２８とをそれぞれの軸線Ｊ２６，Ｊ２８方向を鉛直方向に向けて隣り合わせた状態で、筒体２６と管体２８とを連結させる連結部２９とを備えている。
【００２５】
筒体２６は、下端が軸線Ｊ２６に対して斜めに切断された周壁部２６ａと、周壁部２６ａの下端面に合わせて、平板状で管体２８の下方側に向かって傾斜した底部２６ｂとを備えている。  
【００２６】
周壁部２６ａの上部には被係合部２４が形成されている。周壁部２６ａは、周方向の一部を軸線Ｊ２６方向に連続して欠いており、軸線Ｊ２６方向に視て略Ｃ字状に形成されている。周壁部２６ａを欠いた部分は、管体２８に向かってに開口した開口部４０を構成しており、少なくとも軸線方向中間部（本実施形態では上端から）最下端に位置する底部２６ｂまで形成されている。
【００２７】
この構成により、短管１６をリング部１４の係合部１８が筒体２６の被係合部２４に係合するまで挿入すると、短管１６の下方において筒体２６の開口部４０が管体２８の内孔Ｈ２に向かって開口する。
【００２８】
管体２８は、上側竪樋５ａを内孔Ｈ２に内嵌させると共に、上側竪樋５ａと間隔を空けて下端から下側竪樋５ｂを内嵌させる軸線Ｊ２８方向に貫通している。管体２８を形成する周壁部２８ａの周方向の一部を軸線Ｊ２８方向に連続して欠いており、軸線Ｊ２８方向に視て略逆Ｃ字状に形成されている。周壁部２８ａを欠いた部分は、筒体２６に向かって開口した開口部４１を構成しており、少なくとも軸線方向中間部（本実施形態では上端から）底部２６ｂの最下端に対応する位置まで形成されている。
筒体２６の開口部４０と管体２８の開口部４１とは互いに対向配置されている。開口部４０，４１は、軸線Ｊ２６，Ｊ２８の双方に直交する方向から筒体２６及び管体２８を投影視した場合に同じ幅となるように形成されている。
【００２９】
連結部２９は、筒体２６の開口部４０を形成する周壁部の側端３０，３０とこれに対向する管体２８の開口部４１を形成する側端３１，３１どうしを連結する連結片２９ａ，２９ａを備えている。
【００３０】
以上の構成により、筒体２６の内孔Ｈ１と管体２８の内孔Ｈ２とが連結片２９ａ，２９ｂ間の空間を介して軸線Ｊ２６，Ｊ２８に直交する方向に連通している。呼び樋３及びエルボ１０の内部を流れる雨水は、エルボ１０の短管１６から筒体２６の内孔Ｈ１に流入し、底部２６ｂの傾斜面を伝って開口部４０から連結片２９ａ，２９ａ間を通り、更に開口部４１から管体２８の内孔Ｈ２に流入し、下側竪樋５ｂに向けて流下する流路が形成されている。
【００３１】
合わせ枡２０の内周面２０Ｉには、周方向に形成されて係合部１８を係合させる被係合部２４が係合部１８の設置数と同数、即ち二つ設けられている。
具体的には、被係合部２４は筒体２６の上端部の内周面上であって、エルボ１０の下流側端部１０ｂを矢印Ｄ２方向の上方から内孔Ｈ１に内嵌させた際に係合部１８に対応する位置に形成されている。さらに詳しくは、上述のように湾曲部１２の差し口１３に、リング部１４、短管１６をこの順に外嵌し、これらを短管１６側から内孔Ｈ１に内嵌させた際に係合部１８に対応する位置に形成されている。
【００３２】
また、一実施形態においては、被係合部２４は貫通孔である。貫通孔２４の周方向の長さ寸法は、係合部１８の周方向の延在寸法よりも僅かに大きく、係合部１８を被係合部２４に係合させた際に係合部１８が被係合部２４内で周方向に略移動不能な寸法に設定されている。
【００３３】
被係合部２４の幅寸法（軸線Ｊ２６方向の寸法）は、係合部１８の幅寸法と同程度であるが、係合部１８をなす突起の矢印Ｄ２方向における（即ち、上下方向）貫通孔２４内での移動が規制され、エルボ１０が合わせ枡２０から矢印Ｄ２方向上方に外れなければ、特に限定されない。被係合部２４の幅寸法を係合部１８の幅寸法と同程度とすることで、突起１８は貫通孔２４に嵌り、矢印Ｄ２方向において位置決めされるため、エルボ１０及びこれに接続されている呼び樋３を安定させて合わせ枡２０に連結することができる。
【００３４】
次いで、接続構造１Ａの施工方法について図１〜図３を参照しながら説明する。
接続構造１Ａを施工する際には、先ず、合わせ枡２０の上方から内孔Ｈ２に上側竪樋５ａを内嵌させ、上側竪樋５ａと間隔を空けて下方から下側竪樋５ｂを筒体２４の底部２６ｂの最下端の高さ以下の位置まで挿入する。これにより一対の上側竪樋５ａ及び下側竪樋５ｂを合わせ枡２０の管体２８の上端及び下端に接続する（図２参照）。
【００３５】
次に、湾曲部１２の差し口１３に、リング部１４、短管１６をこの順に外嵌し、リング部１４から突出した差し口１３の外周面Ｃとこれに外嵌する短管１６の上端部の内周面Ｄとを接着剤等により接着してエルボ１０を構成する（図２参照）。この際、リング部１４は差し口１３及び短管１６に対して相対的に回転可能に配されている。エルボ１０或いは合わせ枡２０を適宜弾性変形させ、エルボ１０の下流側端部１０ｂ側、即ち短管１６側から、内孔Ｈ１に挿入し、係合部１８を被係合部２４に係合させる（図３参照）。
これにより、呼び樋３，エルボ１０，合わせ枡２０及び竪樋５を備えた雨樋システムが完成する。
【００３６】
次に、図１に示す建物Ｔの軒樋４に集水器２を介して接続した呼び樋３の下流側端部３ｂを合わせ枡２０に導く。ここで、エルボ１０の上流側端部の軸線Ｊ１０が、呼び樋３の軸線Ｊ３とずれている場合、エルボ１０を周方向に回動させ、これらの軸線Ｊ３，Ｊ１０の方向を一致させる（図２参照）。このようにエルボ１０の上流側の矢印Ｄ１方向に延びている部分の軸線Ｊ１０の方向と呼び樋３の軸線Ｊ３の方向とを一致させた後に、呼び樋３をエルボ１０の湾曲部１２の上流側端部１２ａに差し入れて内嵌させ、呼び樋３をエルボ１０に接続する。
上述した工程により、接続構造１Ａが施工され、建物Ｔに雨樋システム８が設置される。
【００３７】
以上説明したように、接続構造１Ａによれば、エルボ１０のリング部１４に設けられた係合部１８が合わせ枡２０に設けられた被係合部２４に係合しているので、エルボ１０がリング部１４において合わせ枡２０に周方向に固定されつつ、湾曲部１２及び短管１６が合わせ枡２０に対して合わせ枡２０の筒体２６の軸線Ｊ２６を中心に回転可能となる。一方、軸線Ｊ２６方向（即ち、矢印Ｄ２方向）において前記突起が前記貫通孔内で殆ど相対移動不能で位置決めされているため、合わせ枡２０の軸線Ｊ２６の方向へのエルボ１０の合わせ枡２０に対する相対移動が規制される。
【００３８】
従って、施工時にエルボ１０の軸線Ｊ１０の向きが呼び樋３の軸線Ｊ３の向きに対してずれた場合であっても、エルボ１０を合わせ枡２０の軸線Ｊ２６を中心に周方向に回転させ、各々の向きを合わせてから呼び樋３をエルボ１０の上流側端部１０ａに容易に挿入することができる。また、エルボ１０を合わせ枡２０に挿入した後は、前述のようにエルボ１０の係合部１８が合わせ枡２０の被係合部２４に係合されていることで、合わせ枡２０の軸線Ｊ２６の方向へのエルボ１０の移動が規制されるので、エルボ１０やエルボ１０に接続されている呼び樋３が合わせ枡２０から外れるのを確実に防止することができる。
【００３９】
また、一実施形態の接続構造１Ａによれば、エルボ１０を介して呼び樋３と合わせ枡２０がしっかり固定されるので、エルボ１０の下流側端部１０ｂを合わせ枡２０に接着剤等で接着する必要がない。そのため、上側の竪樋５や呼び樋３を通じて運ばれた枯葉やゴミ等が合わせ枡２０に詰まった際に、呼び樋３やエルボ１０、竪樋５を切断することなく、係合部１８と被係合部２４との係合を解除してエルボ１０を合わせ枡２０から外し、詰まった枯葉やゴミ等を容易に取り除くことができる。
【００４０】
このように、接続構造１Ａ及び雨樋システム８のメンテナンスを容易に行うことができる。そして、従来のように合わせ枡２０に挿入されたエルボ１０の抜けを防止するためにエルボ１０に押圧具等を当てる必要もなく、エルボ１０の損傷発生を防止することもできる。
【００４１】
なお、上記説明した一実施形態の接続構造１Ａでは、係合部１８がリング部１４の径方向の外側に突出する突起であり、被係合部２４が貫通孔であるが、係合部１８が貫通孔であり、被係合部２４が合わせ枡２０の筒体２６の径方向の内側に突出する突起であってもよい。
【００４２】
このように、接続構造１Ａによれば、従来広く用いられている部材である湾曲部１２と、リング部１４及び短管１６とを組み合わせて、上述したエルボ１０を構成することができる。したがって、合せ枡２０を安価に製造することができるという効果を奏する。
【００４３】
なお、上記実施形態では、被係合部２４を貫通孔とした場合を例として説明したが、係合部１８が係合してエルボ１０の軸線方向への移動を規制し得る限り、被係合部２４は、貫通孔ではなく溝であってもよい。
【００４４】
また、上記実施形態では、エルボ１０が湾曲部１２，リング部１４及び短管１６により構成された例を以って本発明を説明したが、図４に示すように、接続構造１Ｂのエルボ１０は、一体的に成形されたものであってもよい。この場合、被係合部２４は、周方向に連続する溝又はエルボ１０を所定角度（例えば、呼び樋３の軸線Ｊ３を中心として９０度以下の角度を）回転させることができる程度の長さを以って形成された溝若しくは貫通孔であってもよい。
【００４５】
このように被係合部２４が筒体２６の周方向全体にわたって形成されることで、合わせ枡２０筒体２６の軸線Ｊ２６に対するエルボ１０の軸線Ｊ１２を中心とする回転角度が確保される。また、呼び樋３とエルボ１０との接続時に、呼び樋３の軸線Ｊ３の方向に対してエルボ１０の上流側端部１０ａの軸線Ｊ１０方向を一致させ易くなる。
【００４６】
なお、上記説明した変形例の接続構造１Ｂでは、係合部１８がエルボ１０の径方向の外側に突出する突起であり、被係合部２４が溝であるが、係合部１８が溝であり、被係合部２４が合わせ枡２０の筒体２６の径方向の内側に突出する突起であってもよい。このような構成においても、上述した変形例の接続構造１Ｂと同様の作用効果が得られる。
【００４７】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００４８】
また、係合部１８及び被係合部２４は、合わせ枡２０の軸線Ｊ２６方向において必ずしも一箇所に形成されていなくてもよく、二箇所以上の位置に形成されていてもよい。このような構成によれば、上記実施形態の接続構造１と同様に、エルボ１０が合わせ枡２０の軸線Ｊ２６方向に対して回転可能であることに加え、エルボ１０における合わせ枡２０の軸線Ｊ２６方向の移動が許容範囲内により確実に抑えられ、エルボ１０及び呼び樋３が合わせ枡２０から外れるのをより一層確実に防止することができる。
【符号の説明】
【００４９】
１，１Ａ，１Ｂ…接続構造（雨樋の接続構造）、３…呼び樋、３ｂ…下流側端部、４，１３…差し口、５…竪樋、８…雨樋、１０…エルボ、１０ｂ…下流側端部（端部）、１３Ｒ，１４Ｒ…外周面、１２…湾曲部、１４…リング部、１６…短管、１８…係合部、２０…合わせ枡、Ｈ１，Ｈ２…内孔、２０Ｉ…内周面、２４…被係合部、Ｄ１…方向（横方向）、Ｄ２…方向（軸線方向）
【図１】
0006530606.tif 000002
【図２】
0006530606.tif 000003
【図３】
0006530606.tif 000004
【図４】
0006530606.tif 000005